(57)【要約】【課題】  住宅の玄関ドアに取付けられ、真夏であっても火傷することなく握ることが出来る取っ手の提供。【解決手段】  取っ手２に太陽光が当たって熱く成っても、握って該ドアの開閉を行うことが出来るように、該取っ手２に布地のカバー３を巻き付けている。【選択図】    図２
0003210157.tif 000002
【実用新案登録請求の範囲】
【請求項１】
住宅の玄関ドアに取付けている取っ手において、該取っ手に太陽光が当たって熱く成っても、握って該ドアの開閉を行うことが出来るように、該取っ手に布地のカバーを巻き付けたことを特徴とする玄関ドアの取っ手。
【請求項２】
住宅の玄関ドアに取付けている取っ手に太陽光が当たって熱く成っても、握って該ドアの開閉を行うことが出来るようにしたカバーにおいて、該カバーは布地で構成され、両側端には粘着テープなどの留め具を備えたことを特徴とする取っ手カバー。
【請求項３】
上記留め具としてファスナーを用いた請求項２記載の取っ手カバー。
【請求項４】
上記留め具として取っ手に結び付ける紐を用いた請求項２記載の取っ手カバー。
【請求項５】
上記カバーに図形や模様を形成したり、又は飾りを取付けた請求項２、請求項３、又は請求項４記載の取っ手カバー。
【考案の詳細な説明】
【技術分野】
【０００１】
本考案は玄関ドアの取っ手、及び該取っ手に取り付けることができるカバーに関するものである。
【背景技術】
【０００２】
近年の住宅では、その玄関に引戸ではなくドアを装着している場合が大半である。その理由は色々あるが、製作コストが引戸に比べて一般的に安くなる点、又は近年の建物は昔に比べて小さくて外観が洋風化しているためにドアの方が適合する点、さらに引戸よりドアの方が開閉操作において便利であるなどが考えられる。
【０００３】
ところで、玄関に日差しが当たるならばドアの取っ手は熱くなり、触ることが出来ない状態となる。特に真夏で気温が３５℃にもなると、昼時はもちろんであるが、夕方であっても西日が当たると取っ手が冷えることはなく、触ることが出来ず、その為にドアを開くことが容易でない。不用意に取っ手を握るならば火傷する虞もある。玄関の向きが東向きの場合には朝方の気温が低く、太陽が昇ってしまうと日差しが当たらなくなるために取っ手はそれほど熱くならないが、南向きである場合と西向きである場合が問題となり、ドアの取っ手が熱くなる。
【０００４】
逆に、冬季では冷たくなってドアを開閉する際に取っ手を握りにくくなる。さらに湿度が低くて乾燥している日には該取っ手が金属製であるならば、静電気が発生して急に触るならば、感電することになる。
そこで、取っ手に布製カバーを取り付けた考えが知られている。例えば、実用新案登録第３１０７２８２号に係る「取っ手カバー」は、清潔に維持でき、かつ簡単に取り替えることができるように成っている。
【０００５】
すなわち、システムキッチンの扉、引き出しの取っ手に布製のカバーを取り付けることで、汚れや錆を防ぐことができる。カバーにベルベットファスナーを採用することで取り付け、取り外しが簡単で洗濯も容易にできる。
しかし、この取っ手カバーは玄関のドア用として用いることは不適当である。
【特許文献１】実用新案登録第３１０７２８２号に係る「取っ手カバー」
【考案の開示】
【考案が解決しようとする課題】
【０００６】
このように、住宅の玄関ドアの取っ手には上記のごとき問題がある。本考案が解決しようとする課題はこの問題点であり、真夏の暑い時期であっても火傷することなく握ることができ、また真冬の寒い時期であっても冷たく感じることなく握ることが出来る玄関ドアの取っ手及び該取っ手に取付けることができるカバーを提供する。
【課題を解決するための手段】
【０００７】
本考案に係るドアの取っ手はその外周にカバーを巻き付けて構成している。該カバーの具体的な材質は限定しないが、一般には布地が用いられ、開いた状態は四角形をしている。ただし、使用される布地としては比較的分厚くて肌触りの良好な生地が適している。
そして、取っ手に巻付いて取り付けられるが、外れないように留め具を備えている。該留め具としては粘着テープ（マジックテープ）が一般的であるが、ファスナーやボタンを用いることも可能である。
【０００８】
本考案のカバーは基本的に肌障りの良好な厚手の布地であるが、その表面にマークや図形などの飾りを形成することもあり、他の住宅と区別するための目印として機能する。    マークや図形は好みに応じて刺繍にて形成することが手軽に出来る。又は、独立して形成される人形などの飾りをカバーに取付ける場合もある。
【考案の効果】
【０００９】
本考案に係るドアの取っ手は、その表面に布製のカバーが巻付いている。したがって、真夏に太陽の光が直接当たっても必要以上に熱くなることはなく、安心して取っ手を握ってドアを開けることができ、勿論、火傷の心配はない。また、冬季の寒い時には取っ手を握っても冷たく感じることはない。
さらに、布製のカバーを巻き付けることで、湿度が低く冬季の乾燥時期であっても静電気を感じることはない。
【００１０】
一方、本考案のカバーは取っ手に簡単に巻き付けられるが、そのために簡単に取り外すことも可能であり、汚れが付いた場合には取り外して洗濯することができる。そして、カバーは取っ手を保護する役目を果たし、擦り傷などの発生を防止できる。
近年の住宅はその外観が同じようなタイプであり、また外観の類似していて玄関に表札を取り付けていない場合も多く、本考案のカバーに特徴を持たせることで訪問者の目印として機能することが出来る。
【図面の簡単な説明】
【００１１】
【図１】玄関ドアを表す実施例。
【図２】本考案のカバーを巻き付けた取っ手。
【図３】取っ手に巻付けたカバーの一部を開いている状態。
【図４】両側端に粘着テープを設けたカバーが開いている状態。
【図５】飾りを取付けたカバーの具体例。
【考案を実施するための形態】
【００１２】
図１は本考案に係るカバーを巻き付けた取っ手を取付けている玄関ドア表している実施例である。
同図の１はドアパネル、２は取っ手を表し、該ドアパネル１は間口に嵌っている門形枠体の縦枠に蝶番などの継手を介して開閉出来るように取り付けられている。そして、該取っ手２にはカバー３が巻き付いて取り付けられている。
図２は取っ手２の部分拡大図を示しているように、カバー３はタオルケットのような厚手の生地が用いられている。
【００１３】
図３はカバー３が取っ手２に巻き付いて一部開いている状態であるが、長方形をしているカバー３を取っ手２に巻き付けて外れないように止着されている。したがって、カバー３には留め具（留め手段）を備えている。同図に示すカバー３は、一方側の表面と他方側の裏面には粘着テープ４ａ，４ｂ（マジックテープ）が設けられ、取っ手２に巻き付くことで、両粘着テープ４ａ，４ｂは互いに接合することが出来る。
【００１４】
図４にカバー３を広げている状態を示しているように、該カバー３は長方形をなして両側の表面と裏面には粘着テープ４ａ，４ｂが縫い付けられている。この長方形カバー３を取っ手２に巻き付けて両粘着テープ４ａ，４ｂが互いに接着することで、該カバー３は取付けられ、また簡単に取外すことが出来る。
ここで、取っ手２の断面が一定であるならば、カバー３は均一に巻き付くことが出来るが、中央部と上下端部の断面が違う形状では、均一に巻き付くことが出来ない。そこで、該カバー３の布地として伸縮可能なニット生地を用いるならば、断面が多少違っても均一に巻き付けることが可能と成る。
【００１５】
図５はカバー３に飾り５を設けている具体例であり、該飾り５は取っ手２を握った際の熱さを防止する機能とは関係ないが、識別機能を果たすことが出来る。すなわち、近年では外観が殆ど同じ住宅が建ち並んでいる場合が多く、初めて訪ねる人にとっては区別が付かない。まして、盗難防止のために表札を掲げない家庭が多くあり、その為にドアの取っ手２に取付けるカバー３に識別機能を持たせることが出来る。
【００１６】
一方、取っ手２に巻き付き外れないようにする手段としての粘着テープ４ａ，４ｂは具体例であり、該粘着テープ４ａ，４ｂに限定はしない。例えば、カバー３の両側にボタンを取付けることも出来る。またファスナーを設ける場合もある。
さらに、図５に示すようにカバー３に別部品として構成した飾り５を取付ける場合に限らず、カバー３の表面に図形や模様を形成することで識別機能を備えることも可能である。そして、上記飾り５は着脱可能とすることが出来る。
【符号の説明】
【００１７】
１   ドアパネル
２   取っ手
３   カバー
４   粘着テープ
５   飾り
【図１】
0003210157.tif 000003
【図２】
0003210157.tif 000004
【図３】
0003210157.tif 000005
【図４】
0003210157.tif 000006
【図５】
0003210157.tif 000007